【手続補正書】
【提出日】平成17年11月4日(2005.11.4)
【手続補正１】
【補正対象書類名】明細書
【補正対象項目名】発明の名称
【補正方法】変更
【補正の内容】
【発明の名称】ゲーム機
【手続補正２】
【補正対象書類名】明細書
【補正対象項目名】特許請求の範囲
【補正方法】変更
【補正の内容】
【特許請求の範囲】
【請求項１】  プレイヤーによる電話番号を含む個人データの入力操作を受け付ける入力手段と、
前記入力手段を介して入力された前記電話番号を記憶する記憶手段と、
ゲームに関する前記プレイヤーの操作を受付ける操作部と、
前記操作部に対する前記プレイヤーの操作に応じた所定の手順に従ってゲーム結果を出力するゲーム結果出力手段と、
前記入力手段、前記記憶手段、前記操作部および前記ゲーム結果出力手段を収納する筐体と、
公衆回線を介して、前記ゲーム結果出力手段から出力された前記ゲーム結果を前記記憶手段に記憶された前記電話番号先に対して送信する送信手段と、
前記入力手段を介して入力された前記電話番号を前記記憶手段に記憶させた後、前記操作部を介して前記ゲームに関する前記プレイヤーの操作を受け付け、この操作に応じた所定の手順に従って前記ゲーム結果出力手段から前記ゲーム結果を出力させ、その後、前記送信手段による送信を行うように前記記憶手段、前記操作部、前記ゲーム結果出力手段および前記送信手段を制御する制御手段とを備え、所定の店舗に設けられたゲーム機であって、
前記店舗の閉店時刻を設定する閉店時刻設定手段を備え、
前記制御手段は、前記閉店時刻設定手段により設定された閉店時刻より、前記ゲーム結果が送信されるために必要な処理時間を差し引いた受付終了時刻以前に、前記プレイヤーの入力操作の受付けを終了するように、前記入力手段を制御することを特徴とするゲーム機。
【請求項２】  前記閉店時刻以前の指定時刻の前記プレイヤーによる入力を受付ける指定時刻入力手段を備え、
前記制御手段は、前記指定時刻入力手段を介して入力された前記指定時刻に前記ゲーム結果を送信するように前記送信手段を制御することを特徴とする請求項１に記載のゲーム機。
【請求項３】  プレイヤーによる電話番号を含む個人データの入力操作を受け付ける入力手段と、
前記入力手段を介して入力された前記電話番号を含む個人データを記憶する記憶手段と、
ゲームに関する前記プレイヤーの操作を受付ける操作部と、
前記入力手段に対する前記プレイヤーの操作に応じた所定の手順に従ってゲーム結果を出力するゲーム結果出力手段と、
前記入力手段、前記記憶手段、前記操作部および前記ゲーム結果出力手段を収納する筐体と、
公衆回線を介して、前記ゲーム結果出力手段から出力された前記ゲーム結果を前記記憶手段に記憶された前記電話番号先に対して送信する送信手段と、
前記入力手段を介して入力された前記個人データを前記記憶手段に記憶させた後、前記操作部を介して前記ゲームに関する前記プレイヤーの操作を受け付け、この操作に応じた所定の手順に従って前記ゲーム結果出力手段から前記ゲーム結果を出力させ、その後、前記送信手段による送信を行うように前記記憶手段、前記操作部、前記ゲーム結果出力手段および前記送信手段を制御する制御手段とを備えたゲーム機であって、
前記制御手段は、前記記憶手段に記憶された個人データの中から、前記入力手段を介して入力された電話番号と同じ電話番号を含む個人データを検索し、当該個人データが検索できない時は前記入力手段を介して入力された個人データを前記記憶手段に記憶させ、当該個人データが検索できた時は、その検索された個人データを前記プレイヤーの個人データとして利用することを特徴とするゲーム機。
【請求項４】  前記制御手段は、前記入力手段を介して入力された電話番号及び生年月日を含む個人データを検索し、当該個人データが検索できない時は前記入力手段を介して入力された個人データを前記記憶手段に記憶させ、当該個人データが検索できた時は、当該個人データを前記プレイヤーの個人データとして利用する、ことを特徴とする請求項３に記載のゲーム機。
【請求項５】  プレイヤーによる電話番号を含む個人データの入力操作を受け付ける入力手段と、
前記入力手段を介して入力された前記電話番号を含む個人データを記憶する記憶手段と、
特定の時間帯のみ所定のゲームジャンルを含む複数のゲームジャンルを選択可能な候補として前記プレイヤーに提供し、前記特定の時間帯以外は、前記所定のゲームジャンルを除く複数のゲームジャンルを選択可能な候補として前記プレイヤーに提供する候補提供部と、
前記候補提供部により提供された前記複数のゲームジャンルから１つのゲームジャンルを前記プレイヤーに選択させるゲームジャンル選択手段と、
前記ゲームジャンル選択手段により選択された前記１つのゲームジャンルに対応するゲームに関する前記プレイヤーの操作を受け付ける操作部と、
前記操作部に対する前記プレイヤーの操作に応じた所定の手順に従ってゲーム結果を出力するゲーム結果出力手段と、
前記入力手段、前記記憶手段、前記操作部、前記候補提供部、前記ゲームジャンル選択手段および前記ゲーム結果出力手段を収納する筐体と、
公衆回線を介して、前記ゲーム結果出力手段から出力された前記ゲーム結果を前記記憶手段に記憶された前記電話番号先に対して送信する送信手段と、
前記入力手段を介して入力された前記電話番号を前記記憶手段に記憶させた後、前記操作部を介して前記ゲームに関する前記プレイヤーの操作を受け付け、この操作に応じた所定の手順に従って前記ゲーム結果出力手段から前記ゲーム結果を出力させ、その後、前記送信手段による送信を行うように前記記憶手段、前記操作部、前記ゲーム結果出力手段および前記送信手段を制御する制御手段とを備えることを特徴とするゲーム機。
【請求項６】 前記プレイヤーによる指定時刻の入力を受付ける指定時刻入力手段を備え、
前記制御手段は、前記指定時刻入力手段を介して入力された前記指定時刻に前記ゲーム結果を送信するように前記送信手段を制御することを特徴とする請求項３〜５のいずれか１項に記載のゲーム機。
【手続補正３】
【補正対象書類名】明細書
【補正対象項目名】０００１
【補正方法】変更
【補正の内容】
【０００１】
【発明の属する技術分野】
本発明は、所定の手順に従ってゲーム結果を出力するゲーム機に関する。
【手続補正４】
【補正対象書類名】明細書
【補正対象項目名】０００４
【補正方法】変更
【補正の内容】
【０００４】
本発明の目的は、公衆回線を介してゲームの結果をプレイヤー自身に通知することにより、秘匿性を保持した状態で当該プレイヤーにのみゲーム結果を通知することの可能なゲーム機を提供することにある。
【手続補正５】
【補正対象書類名】明細書
【補正対象項目名】０００５
【補正方法】変更
【補正の内容】
【０００５】
【課題を解決するための手段】
請求項１に記載の発明は、プレイヤーによる電話番号を含む個人データの入力操作を受け付ける入力手段（１０）と、前記入力手段を介して入力された前記電話番号を記憶する記憶手段（１１０）と、ゲームに関する前記プレイヤーの操作を受付ける操作部（１０）と、前記操作部に対する前記プレイヤーの操作に応じた所定の手順に従ってゲーム結果を出力するゲーム結果出力手段（１０１）と、前記入力手段、前記記憶手段、前記操作部および前記ゲーム結果出力手段を収納する筐体（１００）と、公衆回線を介して、前記ゲーム結果出力手段から出力された前記ゲーム結果を前記記憶手段に記憶された前記電話番号先に対して送信する送信手段（１０６）と、前記入力手段を介して入力された前記電話番号を前記記憶手段に記憶させた後、前記操作部を介して前記ゲームに関する前記プレイヤーの操作を受け付け、この操作に応じた所定の手順に従って前記ゲーム結果出力手段から前記ゲーム結果を出力させ、その後、前記送信手段による送信を行うように前記記憶手段、前記操作部、前記ゲーム結果出力手段および前記送信手段を制御する制御手段（１０１、１０２）とを備え、所定の店舗に設けられたゲーム機であって、前記店舗の閉店時刻を設定する閉店時刻設定手段（１０）を備え、前記制御手段は、前記閉店時刻設定手段により設定された閉店時刻より、前記ゲーム結果が送信されるために必要な処理時間を差し引いた受付終了時刻以前に、前記プレイヤーの入力操作の受付けを終了するように、前記入力手段を制御するゲーム機とした。
【手続補正６】
【補正対象書類名】明細書
【補正対象項目名】０００６
【補正方法】変更
【補正の内容】
【０００６】
この発明では、公衆回線を介して、入力手段（１０）により入力されたプレイヤーの電話番号先にゲーム結果を送信する送信手段（１０６）を備えるので、当該ゲーム機をプレイしたプレイヤーにのみゲーム結果が通知される。従って、当該プレイヤー以外の第三者がゲーム結果を知得するおそれがない。また、ゲーム機が設置された店舗の閉店時刻を設定できる閉店時刻設定手段（１０）により、閉店時刻の直前はプレイできないようにして、閉店のためにゲーム機の電源が落とされる前に当日分の通信処理を完了させることができる。
【手続補正７】
【補正対象書類名】明細書
【補正対象項目名】０００７
【補正方法】変更
【補正の内容】
【０００７】
請求項２に記載の発明は、請求項１に記載のゲーム機において、前記閉店時刻以前の指定時刻の前記プレイヤーによる入力を受付ける指定時刻入力手段（１０）を備え、前記制御手段は、前記指定時刻入力手段を介して入力された前記指定時刻に前記ゲーム結果を送信するように前記送信手段を制御する。
【手続補正８】
【補正対象書類名】明細書
【補正対象項目名】０００８
【補正方法】変更
【補正の内容】
【０００８】
この発明では、閉店時刻以前であってプレイヤーに都合のよい指定時刻を、指定時刻入力手段（１０）を介して入力することができるので、閉店時刻以前の送信成立の可能性を高めることができる。
【手続補正９】
【補正対象書類名】明細書
【補正対象項目名】０００９
【補正方法】変更
【補正の内容】
【０００９】
請求項３に記載の発明は、プレイヤーによる電話番号を含む個人データの入力操作を受け付ける入力手段（１０）と、前記入力手段を介して入力された前記電話番号を含む個人データを記憶する記憶手段（１１０）と、ゲームに関する前記プレイヤーの操作を受付ける操作部（１０）と、前記入力手段に対する前記プレイヤーの操作に応じた所定の手順に従ってゲーム結果を出力するゲーム結果出力手段（１０１）と、前記入力手段、前記記憶手段、前記操作部および前記ゲーム結果出力手段を収納する筐体（１００）と、公衆回線を介して、前記ゲーム結果出力手段から出力された前記ゲーム結果を前記記憶手段に記憶された前記電話番号先に対して送信する送信手段（１０６）と、前記入力手段を介して入力された前記個人データを前記記憶手段に記憶させた後、前記操作部を介して前記ゲームに関する前記プレイヤーの操作を受け付け、この操作に応じた所定の手順に従って前記ゲーム結果出力手段から前記ゲーム結果を出力させ、その後、前記送信手段による送信を行うように前記記憶手段、前記操作部、前記ゲーム結果出力手段および前記送信手段を制御する制御手段（１０１、１０２）とを備えたゲーム機であって、前記制御手段は、前記記憶手段に記憶された個人データの中から、前記入力手段を介して入力された電話番号と同じ電話番号を含む個人データを検索し、当該個人データが検索できない時は前記入力手段を介して入力された個人データを前記記憶手段に記憶させ、当該個人データが検索できた時は、その検索された個人データを前記プレイヤーの個人データとして利用するゲーム機とした。
【手続補正１０】
【補正対象書類名】明細書
【補正対象項目名】００１０
【補正方法】変更
【補正の内容】
【００１０】
この発明では、公衆回線を介して、入力手段（１０）により入力されたプレイヤーの電話番号先にゲーム結果を送信する送信手段（１０６）を備えるので、当該ゲーム機をプレイしたプレイヤーにのみゲーム結果が通知される。従って、当該プレイヤー以外の第三者がゲーム結果を知得するおそれがない。また、本ゲーム機では、プレイヤーの電話番号を当該プレイヤーの個人データが既に登録されているか否かを検索するための暗証番号として利用することができる。
【手続補正１１】
【補正対象書類名】明細書
【補正対象項目名】００１１
【補正方法】変更
【補正の内容】
【００１１】
請求項４に記載の発明は、請求項３に記載のゲーム機において、前記制御手段は、前記入力手段を介して入力された電話番号及び生年月日を含む個人データを検索し、当該個人データが検索できない時は前記入力手段を介して入力された個人データを前記記憶手段に記憶させ、当該個人データが検索できた時は、当該個人データを前記プレイヤーの個人データとして利用する。
【手続補正１２】
【補正対象書類名】明細書
【補正対象項目名】００１２
【補正方法】変更
【補正の内容】
【００１２】
この発明では、プレイヤーの電話番号および生年月日を、当該プレイヤーの個人データが既に登録されているか否かを検索するための暗証番号として利用することができる。
【手続補正１３】
【補正対象書類名】明細書
【補正対象項目名】００１３
【補正方法】変更
【補正の内容】
【００１３】
請求項５に記載の発明は、プレイヤーによる電話番号を含む個人データの入力操作を受け付ける入力手段（１０）と、前記入力手段を介して入力された前記電話番号を含む個人データを記憶する記憶手段（１１０）と、特定の時間帯のみ所定のゲームジャンルを含む複数のゲームジャンルを選択可能な候補として前記プレイヤーに提供し、前記特定の時間帯以外は、前記所定のゲームジャンルを除く複数のゲームジャンルを選択可能な候補として前記プレイヤーに提供する候補提供部（１０１、１）と、前記候補提供部により提供された前記複数のゲームジャンルから１つのゲームジャンルを前記プレイヤーに選択させるゲームジャンル選択手段（１０１）と、前記ゲームジャンル選択手段により選択された前記１つのゲームジャンルに対応するゲームに関する前記プレイヤーの操作を受け付ける操作部と、前記操作部に対する前記プレイヤーの操作に応じた所定の手順に従ってゲーム結果を出力するゲーム結果出力手段（１０１）と、前記入力手段、前記記憶手段、前記操作部、前記候補提供部、前記ゲームジャンル選択手段および前記ゲーム結果出力手段を収納する筐体（１００）と、公衆回線を介して、前記ゲーム結果出力手段から出力された前記ゲーム結果を前記記憶手段に記憶された前記電話番号先に対して送信する送信手段（１０６）と、前記入力手段を介して入力された前記電話番号を前記記憶手段に記憶させた後、前記操作部を介して前記ゲームに関する前記プレイヤーの操作を受け付け、この操作に応じた所定の手順に従って前記ゲーム結果出力手段から前記ゲーム結果を出力させ、その後、前記送信手段による送信を行うように前記記憶手段、前記操作部、前記ゲーム結果出力手段および前記送信手段を制御する制御手段（１０１、１０２）とを備えるゲーム機とした。
【手続補正１４】
【補正対象書類名】明細書
【補正対象項目名】００１４
【補正方法】変更
【補正の内容】
【００１４】
この発明では、公衆回線を介して、入力手段（１０）により入力されたプレイヤーの電話番号先にゲーム結果を送信する送信手段（１０６）を備えるので、当該ゲーム機をプレイしたプレイヤーにのみゲーム結果が通知される。従って、当該プレイヤー以外の第三者がゲーム結果を知得するおそれがない。また、候補提供部によって、特定の時間帯のみ特定のゲームジャンルを選択可能にすることができる。
【手続補正１５】
【補正対象書類名】明細書
【補正対象項目名】００１５
【補正方法】変更
【補正の内容】
【００１５】
請求項６に記載の発明は、請求項３〜５のいずれか１項に記載のゲーム機において、前記プレイヤーによる指定時刻の入力を受付ける指定時刻入力手段（１０）を備え、前記制御手段は、前記指定時刻入力手段を介して入力された前記指定時刻に前記ゲーム結果を送信するように前記送信手段を制御する。
【手続補正１６】
【補正対象書類名】明細書
【補正対象項目名】００１６
【補正方法】変更
【補正の内容】
【００１６】
この発明では、プレイヤーに都合のよい指定時刻を、指定時刻入力手段（１０）を介して入力することができるので、送信成立の可能性を高めることができる。
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２６
【補正方法】削除
【補正の内容】
【手続補正２７】
【補正対象書類名】明細書
【補正対象項目名】００２７
【補正方法】削除
【補正の内容】
【手続補正２８】
【補正対象書類名】明細書
【補正対象項目名】００２８
【補正方法】削除
【補正の内容】
【手続補正２９】
【補正対象書類名】明細書
【補正対象項目名】００２９
【補正方法】削除
【補正の内容】
【手続補正３０】
【補正対象書類名】明細書
【補正対象項目名】００３０
【補正方法】削除
【補正の内容】
【手続補正３１】
【補正対象書類名】明細書
【補正対象項目名】００３１
【補正方法】削除
【補正の内容】
【手続補正３２】
【補正対象書類名】明細書
【補正対象項目名】００３２
【補正方法】削除
【補正の内容】
【手続補正３３】
【補正対象書類名】明細書
【補正対象項目名】００３３
【補正方法】削除
【補正の内容】
【手続補正３４】
【補正対象書類名】明細書
【補正対象項目名】００３４
【補正方法】削除
【補正の内容】
【手続補正３５】
【補正対象書類名】明細書
【補正対象項目名】００３５
【補正方法】削除
【補正の内容】
【手続補正３６】
【補正対象書類名】明細書
【補正対象項目名】００３６
【補正方法】削除
【補正の内容】
【手続補正３７】
【補正対象書類名】明細書
【補正対象項目名】００３７
【補正方法】削除
【補正の内容】
【手続補正３８】
【補正対象書類名】明細書
【補正対象項目名】００３８
【補正方法】削除
【補正の内容】
【手続補正３９】
【補正対象書類名】明細書
【補正対象項目名】００３９
【補正方法】削除
【補正の内容】
【手続補正４０】
【補正対象書類名】明細書
【補正対象項目名】００４０
【補正方法】削除
【補正の内容】
【手続補正４１】
【補正対象書類名】明細書
【補正対象項目名】００４１
【補正方法】削除
【補正の内容】
【手続補正４２】
【補正対象書類名】明細書
【補正対象項目名】００４２
【補正方法】削除
【補正の内容】
【手続補正４３】
【補正対象書類名】明細書
【補正対象項目名】００４３
【補正方法】削除
【補正の内容】
【手続補正４４】
【補正対象書類名】明細書
【補正対象項目名】００４４
【補正方法】削除
【補正の内容】
【手続補正４５】
【補正対象書類名】明細書
【補正対象項目名】００４５
【補正方法】削除
【補正の内容】
【手続補正４６】
【補正対象書類名】明細書
【補正対象項目名】０１２６
【補正方法】変更
【補正の内容】
【０１２６】
【発明の効果】
本発明によれば、公衆回線を介して、入力手段により入力された電話番号先に対してゲーム結果を送信する送信制御手段を備えるので、相性診断や性格診断といった秘匿性の高いゲーム結果を、ゲーム機がプレイした当該プレイヤーにのみ通知することができる。従って、プレイヤーは安心してゲーム機をプレイすることができる。また、プレイヤーはゲーム結果が出力されるのをその場で待つ必要がなく、送信によって後からゲーム結果を知ることができる。とくにゲーム結果の出力に時間がかかる場合等に有効である。
【手続補正４７】
【補正対象書類名】明細書
【補正対象項目名】０１２７
【補正方法】削除
【補正の内容】